(57)【要約】【課題】かごドアの上下方向の位置の調節を安全且つ効率良く行えるようにしたエレベータのドアハンガーの高さ調節装置を提供する。【解決手段】バックアングル２の上部に上下方向に移動可能に固定されたドアハンガーレールブラケット３を備えている。ドアハンガーレールブラケットの上方において、バックアングル上部に支持ブラケット１１が固定されている。支持ブラケットには、ドアハンガーレールブラケットを貫通するジャッキボルト１４が垂直下方に突出するように固定されている。ジャッキボルトには、ドアハンガーレールブラケットを受け止め支持する位置調節用ナット１７が螺合されている。【選択図】      図２
2004299806.tif 000002
【特許請求の範囲】
【請求項１】
かごドア又は乗場ドアを吊り下げ支持する枠体の上部に上下方向に移動可能に取り付けられたドアハンガーレールブラケットと、このドアハンガーレールブラケットの上方又は下方に配され前記枠体の上部に固定された支持ブラケットと、この支持ブラケットに固定され前記ドアハンガーレールブラケットを貫通すると共に外周部にネジが形成された軸と、この軸に螺合すると共に前記ドアハンガーレールブラケットを受け止め支持する位置調節用部材とを備えたことを特徴とするエレベータのドアハンガーの高さ調節装置。
【請求項２】
前記支持ブラケットが前記ドアハンガーレールブラケットの下方に配されたことを特徴とする請求項１記載のエレベータのドアハンガーの高さ調節装置。
【請求項３】
前記支持ブラケットと前記ドアハンガーレールブラケットが前記枠体に共締め固定されたことを特徴とする請求項１又は請求項２記載のエレベータのドアハンガーの高さ調節装置。
【請求項４】
前記支持ブラケットが前記枠体に着脱可能であることを特徴とする請求項１乃至請求項３のいずれか一項記載のエレベータのドアハンガーの高さ調節装置。
【請求項５】
前記枠体に前記支持ブラケットを着脱可能に支持するブラケット支持部が上下方向に間隔をおいて複数個設けられたことを特徴とする請求項４記載のエレベータのドアハンガーの高さ調節装置。
【発明の詳細な説明】
【０００１】
【発明の属する技術分野】
本発明は、エレベータのドアハンガーの高さ調節装置に関するものである。
【０００２】
【従来の技術】
図１１は従来のエレベータのかごドア部の構造を示す斜視図、図１２はその要部拡大図である。
【０００３】
図１１に示すように、水平且つ平行に配された一対のかご腕１０１の先端部からそれぞれかご下方用品との間に向かってバックアングル１０２が延びており、その上部にドアハンガーレールブラケット１０３が水平方向に延びるように締結固定されている。
【０００４】
このドアハンガーレールブラケット１０３は、かごドアのパネル１０４を吊り下げ支持するドアハンガー１０５の案内ローラ１０６が係合するハンガーレール１０７をかごに取り付けるためのものである。
【０００５】
図１２に示すように、ドアハンガーレールブラケット１０３をバックアングル１０２に締結固定するための孔１０８は長孔となっており、かごドアの上下方向の位置を調節する際には、この孔１０８に通した締結部材でドアハンガーレールブラケット１０３を上下に移動可能に仮固定し、ドアハンガーレールブラケット１０３を持ち上げることにより調節している。
【０００６】
【発明が解決しようとする課題】
このように、かごドアの上下方向の位置を調節するためには、ドアハンガーレールブラケット１０３を持ち上げて上下方向の位置を調節する必要があり、その際、ドアハンガー１０５にかごドアが吊り下げられていると、持ち上げ時の重量が大きくなるため、かごドアの位置の調整が困難になり、また、落下等の危険も懸念されるという問題点が有った。
【０００７】
本発明は上記問題点に鑑みてなされたものであり、その目的は、かごドアの上下方向の位置の調節を安全且つ効率良く行えるようにしたエレベータのドアハンガーの高さ調節装置を提供することにある。
【０００８】
【課題を解決するための手段】
上記目的を達成するために、本発明のエレベータのドアハンガーの高さ調節装置は、かごドア又は乗場ドアを吊り下げ支持する枠体の上部に上下方向に移動可能に取り付けられたドアハンガーレールブラケットと、このドアハンガーレールブラケットの上方又は下方に配され前記枠体の上部に固定された支持ブラケットと、この支持ブラケットに固定され前記ドアハンガーレールブラケットを貫通すると共に外周部にネジが形成された軸と、この軸に螺合すると共に前記ドアハンガーレールブラケットを受け止め支持する位置調節用部材とを備えたことを特徴としている。
【０００９】
【発明の実施の形態】
以下、本発明の一実施形態を図面と共に詳述する。図１は本発明の第１の実施形態の高さ調節装置を備えたエレベータのかごドア部の構造を示す斜視図、図２は図１の要部拡大図である。
【００１０】
図１に示すように、水平且つ平行に配された一対のかご腕１の先端部からそれぞれかご下方用品との間に向かってバックアングル２が延びており、その上部にドアハンガーレールブラケット３が水平方向に延びるように締結固定されている。なお、かご腕１及びバックアングル２は、枠体としてのかご枠の一部を構成している。
【００１１】
このドアハンガーレールブラケット３は、かごドアのパネル４を吊り下げ支持するドアハンガー５の案内ローラ６（図２参照）が係合するハンガーレール７をかごに取り付けるためのものである。
【００１２】
ドアハンガーレールブラケット３は細長い矩形状の板材により形成され、垂直壁８と、その上端辺から水平に突出する突出壁９とから成っている。垂直壁８の端部には一対の孔８ａ（一方のみ図示）が上下に間隔をおいて設けられており、これらの孔８ａにボルト１０を貫通させてドアハンガーレールブラケット３をバックアングル２に上下方向に移動可能に取り付けることができる。
【００１３】
ドアハンガーレールブラケット３の上方において、支持ブラケット１１が水平且つドアハンガーレールブラケット３と直交するようにバックアングル２に溶接等により固定されている。この支持ブラケット１１は、水平壁１２と、その一側辺から垂直上方に延びる垂直壁１３とから成っている。水平壁１２には軸としてのジャッキボルト１４が固定されている。
【００１４】
このジャッキボルト１４は、頭部１５と直軸部１６とから成っており、頭部１５が水平壁１２の上面に接すると共に直軸部１６が水平壁１２を貫通して垂直下方に延びるように水平壁１２に固定されている。直軸部１６はドアハンガーレールブラケット３の突出壁９を貫通して下方に突出しており、突出壁９の下方において位置調節用部材としての位置調節用ナット１７が螺合され、水平壁１２と突出壁９の間においてロックナット１８が螺合されている。
【００１５】
次に、本実施形態のドアハンガー高さ調節装置を用いてかごドアの上下方向の位置を調節する方法について説明する。ここでは、かごドアを上方に移動させる場合について説明する。まず、ロックナット１８を回転させて所望の位置に移動させる。次いで、ドアハンガーレールブラケット３の両端部をバックアングル２に固定しているボルト１０を緩める。位置調節用ナット１７をスパナ等で上方に移動する方向に回転させると、ドアハンガーレールブラケット３が位置調節用ナット１７と共に上昇する。
【００１６】
そして、ドアハンガーレールブラケット３の突出壁９の上面がロックナット１８に突き当たると、位置調節用ナット１７の回転を停止する。最後に、ドアハンガーレールブラケット３の両端部をボルト１０でバックアングル２に固定すると調節が終了する。なお、かごドアを下方に移動させる場合には、まず、位置調節用ナット１７を回転させてドアハンガーレールブラケット３の位置を調節した後、ロックナット１８を回転させて突出壁９の上面に当接させることになる。
【００１７】
このように、位置調節用ナット１７を回転させることでかごドアの上下方向の位置を調節することができるため、作業者がかごドアを持ち上げる必要がなく、落下の危険性も無いため、容易且つ安全に作業を行うことができる。
【００１８】
次に、本発明の第２の実施形態を説明する。図３は本発明の第２の実施形態の高さ調節装置を備えたエレベータのかごドア部の構造を示す斜視図、図４は図３の要部拡大図である。なお、以下の各実施形態において、第１の実施形態と同一又は類似の部分には同一の符号を用いており、同一の部分については説明を省略してある。
【００１９】
本実施形態では、支持ブラケット１１がドアハンガーレールブラケット３の下方に配されており、水平壁１２と、その一側辺から垂直下方に延びる垂直壁１３とから成っている。そして、ドアハンガーレールブラケット３は下端側に突出壁１９を有している。
【００２０】
ジャッキボルト１４は、頭部（図示せず）が支持ブラケット１１の水平壁１２の下面に接すると共に直軸部１６が水平壁１２を貫通して垂直上方に延びるようにナット２０を介して水平壁１２に固定されている。直軸部１６はドアハンガーレールブラケット３の突出壁１９を貫通して上方に突出しており、突出壁１９の下方において位置調節用ナット１７が螺合され、突出壁１９の上方においてロックナット１８が螺合されている。
【００２１】
かごドアを上方に移動させる場合には、まず、ロックナット１８を回転させて所望の位置に移動させる。次いで、ドアハンガーレールブラケット３の両端部をバックアングル２、２に固定しているボルト１０を緩める。位置調節用ナット１７をスパナ等で上方に移動する方向に回転させると、ドアハンガーレールブラケット３が位置調節用ナット１７と共に上昇する。
【００２２】
そして、ドアハンガーレールブラケット３の突出壁１９の上面がロックナット１８に突き当たると、位置調節用ナット１７の回転を停止する。最後に、ドアハンガーレールブラケット３の両端部をボルト１０でバックアングル２に固定すると調節が終了する。なお、かごドアを下方に移動させる場合には、まず、位置調節用ナット１７を回転させてドアハンガーレールブラケット３の位置を調節した後、ロックナット１８を回転させて突出壁１９の上面に当接させることになる。
【００２３】
第１の実施形態と同様に、位置調節用ナット１７を回転させることでかごドアの上下方向の位置を調節することができるため、作業者がかごドアを持ち上げる必要がなく、落下の危険性も無いため、容易且つ安全に作業を行うことができる。
【００２４】
また、本実施形態では、支持ブラケット１１がドアハンガーレールブラケット３の下方に配されているため、ボルト１０を緩めすぎたり、ボルト１０が折損したりしてドアハンガーレールブラケット３が落下しても、支持ブラケット１１に当たって停止するため、安全である。
【００２５】
次に、本発明の第３の実施形態を説明する。図５は本発明の第３の実施形態の高さ調節装置を備えたエレベータのかごドア部の構造を示す斜視図、図６は図５の要部拡大図である。
【００２６】
本実施形態では、支持ブラケット１１が、水平壁１２と、その一側辺から垂直下方に延びる垂直壁１３とから成っており、垂直壁１３が、ドアハンガーレールブラケット３とバックアングル２との間に挟み込まれた状態で、ボルト１０によりドアハンガーレールブラケット３と共にバックアングル２に共締め固定されている。
【００２７】
ジャッキボルト１４は、頭部（図示せず）が支持ブラケット１１の水平壁１２の上面に当接し、直軸部１６が水平壁１２、ドアハンガーレールブラケット３の突出壁９を貫通して垂直下方に延びており、突出壁９の下方において位置調節用ナット１７が螺合され、突出壁９と水平壁１２の間においてロックナット１８が螺合されている。
【００２８】
かごドアを上方に移動させる場合には、まず、ロックナット１８を回転させて所望の位置に移動させる。次いで、ドアハンガーレールブラケット３の両端部をバックアングル２に固定しているボルト１０を緩める。位置調節用ナット１７をスパナ等で上方に移動する方向に回転させると、ドアハンガーレールブラケット３が位置調節用ナット１７と共に上昇する。
【００２９】
そして、ドアハンガーレールブラケット３の突出壁９の上面がロックナット１８に突き当たると、位置調節用ナット１７の回転を停止する。最後に、ドアハンガーレールブラケット３の両端部をボルト１０でバックアングル２に固定すると調節が終了する。なお、かごドアを下方に移動させる場合には、まず、位置調節用ナット１７を回転させてドアハンガーレールブラケット３の位置を調節した後、ロックナット１８を回転させて突出壁９の上面に当接させることになる。
【００３０】
第１の実施形態と同様に、位置調節用ナット１７を回転させることでかごドアの上下方向の位置を調節することができるため、作業者がかごドアを持ち上げる必要がなく、落下の危険性も無いため、容易且つ安全に作業を行うことができる。
【００３１】
また、本実施形態では、ドアハンガーレールブラケット３を固定するボルト１０によって支持ブラケット１１を共締め固定しているため、支持ブラケット１１をバックアングル２に固定するための溶接等の加工を施す必要が無く、製造が容易になるという利点が有る。
【００３２】
次に、本発明の第４の実施形態を説明する。図７は本発明の第４の実施形態の高さ調節装置を備えたエレベータのかごドア部の構造を示す斜視図、図８は図７の要部拡大図、図９は図８の要部縦断面図である。
【００３３】
本実施形態では、支持ブラケット１１が、水平壁１２と、その一側辺から垂直上方に延びる垂直壁１３とから成っており、垂直壁１３は、その上端部から水平壁１２と背反する方向に突出する爪部１３ａを有しており、その先端部は上方に屈曲している。バックアングル２の内側面には、爪部１３ａを挿入係合する複数のブラケット支持部としてのスリット２１が上下に所定間隔をおいて形成されている。なお、爪部１３ａは、図１０に示すように、下方に突出していてもよい。
【００３４】
ジャッキボルト１４は、頭部１５が支持ブラケット１１の水平壁１２の上面に当接し、直軸部１６が水平壁１２、ドアハンガーレールブラケット３の突出壁９を貫通して垂直下方に延びており、突出壁９の下方において位置調節用ナット（図示せず）が螺合され、突出壁９と水平壁１２の間においてロックナット１８が螺合されている。
【００３５】
かごドアを上方に移動させる場合には、まず、ロックナット１８を回転させて所望の位置に移動させる。次いで、ドアハンガーレールブラケット３の両端部をバックアングル２に固定しているボルト１０を緩める。位置調節用ナットをスパナ等で上方に移動する方向に回転させると、ドアハンガーレールブラケット３が位置調節用ナットと共に上昇する。
【００３６】
そして、ドアハンガーレールブラケット３の突出壁９の上面がロックナット１８に突き当たると、位置調節用ナットの回転を停止する。最後に、ドアハンガーレールブラケット３の両端部をボルト１０でバックアングル２に固定すると調節が終了する。なお、かごドアを下方に移動させる場合には、まず、位置調節用ナットを回転させてドアハンガーレールブラケット３の位置を調節した後、ロックナット１８を回転させて突出壁９の上面に当接させることになる。
【００３７】
第１の実施形態と同様に、位置調節用ナットを回転させることでかごドアの上下方向の位置を調節することができるため、作業者がかごドアを持ち上げる必要がなく、落下の危険性も無いため、容易且つ安全に作業を行うことができる。
【００３８】
また、本実施形態では、支持ブラケット１１がバックアングル２に着脱可能であるため、ドアハンガーレールブラケット３の位置調節の終了後に支持ブラケット１１を取り外して他のエレベータで使用することができる。
【００３９】
また、バックアングル２は、上下方向に間隔をおいて設けられた複数のスリット２１を有しているため、かごドアの高さが異なる複数種類のエレベータで共通して用いることができるという利点がある。
【００４０】
なお、支持ブラケット１１をバックアングル２に着脱可能に取り付ける構造は、爪部１３ａとスリット２１以外の構造、例えばボルトとナット等であってもよい。
【００４１】
なお、上記各実施形態では、かごドアのドアハンガーの高さ調節装置に本発明を適用した場合について説明したが、本発明は乗場ドアのドアハンガーの高さ調節装置に適用することもできる。
【００４２】
【発明の効果】
以上のように、本発明によれば、位置調節用部材を回転させることで、かごドアの上下方向の位置の調節を安全且つ効率良く行うことができる。
【図面の簡単な説明】
【図１】本発明の第１の実施形態の高さ調節装置を備えたエレベータのかごドア部の構造を示す斜視図。
【図２】図１の要部拡大図。
【図３】本発明の第２の実施形態の高さ調節装置を備えたエレベータのかごドア部の構造を示す斜視図。
【図４】図３の要部拡大図。
【図５】本発明の第３の実施形態の高さ調節装置を備えたエレベータのかごドア部の構造を示す斜視図。
【図６】図５の要部拡大図。
【図７】本発明の第４の実施形態の高さ調節装置を備えたエレベータのかごドア部の構造を示す斜視図。
【図８】図７の要部拡大図。
【図９】図８の要部縦断面図。
【図１０】図８の要部縦断面図。
【図１１】従来のエレベータのかごドア部の構造を示す斜視図。
【図１２】図１０の要部拡大図。
【符号の説明】
２  バックアングル（枠体）
３  ドアハンガーレールブラケット
１１  支持ブラケット
１４  ジャッキボルト（軸）
１７  位置調節用ナット（位置調節用部材）
【図１】
2004299806.tif 000003
【図２】
2004299806.tif 000004
【図３】
2004299806.tif 000005
【図４】
2004299806.tif 000006
【図５】
2004299806.tif 000007
【図６】
2004299806.tif 000008
【図７】
2004299806.tif 000009
【図８】
2004299806.tif 000010
【図９】
2004299806.tif 000011
【図１０】
2004299806.tif 000012
【図１１】
2004299806.tif 000013
【図１２】
2004299806.tif 000014